(57)【要約】【課題】市販の５枚切り、６枚切りの食パンからサンドウィッチ等用に容易に半分の厚さに切るための食パン専用スライス補助器を提供する。【解決手段】Ｌ字金具を使用して組み合わせたＬ字板を２つ作る。挟み板２、挟み板９に食パンの半分の厚さ且つ食パンを固定するため内径を食パンと同じ寸法にしたコ字状の枠５、１２を取り付け、それらを図１のように二段に重ねる。二段に重ねた際のＬ字板のずれを防ぐために、横板１の両側面に細板６を取り付ける。横板８の上面（挟み板側）に溝１３を入れる。６枚切りの食パンを切る場合はコ字状の枠５、１２の枠内に薄板をはめ込む。【選択図】図１
2018000892.tif 000002
【特許請求の範囲】
【請求項１】
市販の５枚切り、６枚切りの食パンをサンドウィッチ等用に半分の厚さに切り易くするために、Ｌ字金具によりＬ字に組み合わせた板を二段に重ね、板で食パンを挟み縦切りにすることを特徴とした補助器。食パンを挟む側の板に、食パンの半分の厚さ且つ食パンのサイズに合わせたコ字状の透明のプラスチック製の枠板を取り付けることで、切る際中の食パンのずれを防ぐとともに、食パンが半分の厚さに切れているか目視で確認することができ容易に半分の厚さに切ることを可能とした補助器。上段のＬ字に組み合わせた横板の両側面に、二段に重ねた際のＬ字板のずれを防ぐために細板を取り付けた補助器。下段のＬ字に組み合わせた横板の上面（挟み板側）に溝を入れることで、刃先が溝の部分まで行き食パンを最後まで綺麗に切ることができるようにした補助器。コ字状の枠内にそれぞれ薄板をはめ込むことで６枚切りの食パンも半分の厚さに切ることができる補助器。
【発明の詳細な説明】
【技術分野】
【０００１】本発明は、市販の５枚切り、６枚切りの食パンを、手軽にサンドウィッチ等用に半分の厚さに切るための補助器に関するものである。
【背景技術】
【０００２】市販されている食パンスライサーは、一斤サイズ等の食パンを好みの厚さに切るために、縦に置いて横切りするか、横に置いて縦切りするものである。市販の５枚切り、６枚切りの食パンをサンドウィッチ等用に使用するため半分の厚さに切る製品はほとんど出回っていない。市販の５枚切り、６枚切りの食パンを半分の厚さに切るためには、多くの人は、食パンを寝かせて、目視で少しずつ横切りしている現状である。
【発明の概要】
【発明が解決しようとする課題】
【０００３】解決しようとする問題点は、市販の５枚切り、６枚切りの食パンを薄く切る際に刃物による危険を伴う点、寝かせて目視で半分の厚さに切ることが難しく食パンの厚さが均一にならない点と、作業時間がかかる点である。
【課題を解決するための手段】
【０００４】本発明は、市販の５枚切り、６枚切りの食パンを半分の厚さに切り易くするために、食パンの両面を板で挟み、縦切りとして使用することを特徴とする。
課題を解決するために、本発明の食パン専用スライス補助器においては、Ｌ字に組み合わせた板を２つ使用する。
食パンを挟む側の板にコ字状の枠を取り付け、それらを二段に重ねる。なお、コ字状の枠は透明のプラスチック製の板を使用する方がよりスムーズであるが、木製でも可である。
上段のＬ字に組み合わせた横板の両側面に、細板を取り付ける。
さらに、下段のＬ字に組み合わせた横板の上面の挟み板側に溝を入れる。
６枚切りの食パン用に切り替えるときは、コ字状の枠内にそれぞれ２ｍｍ程度の厚さの薄板をはめ込む。
【発明の効果】
【０００５】本発明の食パン専用スライス補助器は、以上説明したように構成されているので、以下に記載されるような効果を奏する。
食パンを両側から板で挟むことでより切り易くなるとともに、Ｌ字に組み合わせた板を二段に重ねることで、力を加える箇所が上段の横板の上面一点ですみ、安定した使い心地になる。
食パンを挟む側の板に、食パンの半分の厚さ且つ食パンのサイズに合わせたコ字状の枠を取り付けることで、切る際中の食パンのずれを防ぐとともに、容易に半分の厚さに切ることができる。
また、枠に透明のプラスチック製の板を使用することで、食パンの状態を確認しながら切ることができる。
上段のＬ字に組み合わせた横板の両側面に細板を取り付けることで、二段に重ねた際の板のずれを防ぐことができる。
下段のＬ字に組み合わせた横板の上面（挟み板側）に溝を入れることで、刃先が溝の部分まで行き食パンを最後まで綺麗に切ることができる。
２つのコ字状の枠内に２ｍｍ程度の薄板をそれぞれはめ込むことで、５枚切りから６枚切りの食パンにも対応できる。
【産業上の利用可能性】
【０００６】本発明の食パン専用スライス補助器は、市販の５枚切り、６枚切りの食パンを、手軽にサンドウィッチ等用に半分の厚さに切ることができる。
【発明を実施するための形態】
【０００７】以下、本発明の実態の形態について説明する。
（イ）横板１と挟み板２を図３に示すようにＬ字金具３とねじ４で２箇所固定し、本発明の上段にあたるＬ字板を作る。
（ロ）挟み板２の外側にコ字状の枠５を図３に示すように接着材で固定する。枠の内径は食パンがぴったり挟まる寸法とする。枠となるコ字状の板の厚みは５枚切りの食パンの半分の厚さと同じにする。枠は透明のプラスチック製の板を使用する。
（ハ）横板１の両側面に細板６を釘７と接着剤で固定する。固定する位置は、図３に示すように細板６を横板１の両側面からそれぞれ５ｍｍ程度下にずらし、細板６が横板１の側面よりも下にはみ出る状態にする。
（ニ）横板８と挟み板９を図９に示すようにＬ字金具１０とねじ１１で２箇所固定し、本発明の下段にあたるＬ字板を作る。
（ホ）挟み板９の内側にコ字状の枠１２を図９に示すように接着材で固定する。枠の内径は食パンがぴったり挟まる寸法とする。枠となるコ字状の板の厚みは５枚切りの食パンの半分の厚さと同じにする。枠は透明のプラスチック製の板を使用する。
（ヘ）図９に示すように、下段のＬ字に組み合わせた横板の上面（挟み板側）に溝１３を入れる。
（ト）２つのコ字状の枠内にそれぞれ２ｍｍ程度の薄板をはめ込むことで、５枚切りから６枚切りの食パンにも対応できる。薄板のサイズは食パンと同じ寸法で、厚みは５枚切り食パンの厚さから６枚切り食パンの厚さを引いた長さの半分（約２ｍｍ）として算出した。
（ヒ）食パンを補助器に挟み固定し、包丁やパン切りナイフを挿入して食パンを切り進める。
【図面の簡単な説明】
【０００８】
【図１】本発明の斜視図
【図２】図１の上段Ｌ字板の平面図（上面図）
【図３】図２の真横面図
【図４】図２の真裏横面図
【図５】図２の左側面図
【図６】図２の右側面図
【図７】図２の底面図
【図８】図１の下段Ｌ字板の平面図（上面図）
【図９】図８の真横面図
【図１０】図８の真裏横面図
【図１１】図８の左側面図
【図１２】図８の右側面図
【図１３】図８の底面図
【符号の説明】
【０００９】１  横板
２  挟み板
３  Ｌ字金具
４  ねじ
５  食パンを固定するためのコ字状の枠（透明のプラスチック製の板）
６  ずれ防止用の細板
７  釘
８  横板
９  挟み板
１０  Ｌ字金具
１１  ねじ
１２  食パンを固定するためのコ字状の枠（透明のプラスチック製の板）
１３  溝
【図１】
2018000892.tif 000003
【図２】
2018000892.tif 000004
【図３】
2018000892.tif 000005
【図４】
2018000892.tif 000006
【図５】
2018000892.tif 000007
【図６】
2018000892.tif 000008
【図７】
2018000892.tif 000009
【図８】
2018000892.tif 000010
【図９】
2018000892.tif 000011
【図１０】
2018000892.tif 000012
【図１１】
2018000892.tif 000013
【図１２】
2018000892.tif 000014
【図１３】
2018000892.tif 000015